(57)【要約】【課題】使用者が安定した状態で迅速に浴槽に運ばれるので、使用者にとって使い勝手がよくなる一方、全体が簡素な構造で済み、省スペース化および低コスト化が図られる椅子付きテレスコープ型伸縮装置を提供する。【解決手段】椅子部材１４を腰掛け位置と入浴位置との間でスライド可能に設けているので、使用者Ｕを安定させた状態で迅速に浴槽２に移動させることができる。このため、使用者Ｕにとって使い勝手がよくなり、介護者にとっては負担が軽くなる。しかも、椅子部材１４を横腕部８にスライド可能に設けるといった簡素な構造で済み、省スペース化および低コスト化が図られ、身体の不自由な使用者Ｕを椅子部材１４に載せながら浴槽２に出入りさせる介護用入浴補助具として大幅な普及促進が見込まれる。【選択図】図５
2006326227.tif 000002
【特許請求の範囲】
【請求項１】
浴槽の内底部に着脱可能に設置されて、互いに伸縮自在に重ね合わされた複数の剛体筒を有するテレスコープ型シリンダーと、
このテレスコープ型シリンダーから横方向に延出するように取り付けられた横腕部と、  この横腕部に同一平面内で回動可能となるように設けられるとともに、前記浴槽の外側壁部に到る腰掛け位置と前記テレスコープ型シリンダーの近傍に到る入浴位置との間で、スライド部材によりスライド可能に設けられた椅子部材とを備え、
前記スライド部材は、スライダー板と前記横腕部との間に、転動ボールを介して互いにスライド伸縮可能に重ね合わせた複数の細長板状のスライダーレールからなり、
使用時には、前記腰掛け位置で使用者を載せた前記椅子部材を前記浴槽内へ回動させて、前記入浴位置にスライドさせることを特徴とする椅子付きテレスコープ型伸縮装置。
【請求項２】
前記椅子部材は、座部と背凭部とからなり全体が断面略Ｌ字状をなすことを特徴とする請求項１に記載の椅子付きテレスコープ型伸縮装置。
【請求項３】
前記横腕部は、前記椅子部材と一緒に前記テレスコープ型シリンダーに対して着脱可能に取り付けられていることを特徴とする請求項１に記載の椅子付きテレスコープ型伸縮装置。
【請求項４】
前記横腕部は、先端部に形成されたフック部を前記テレスコープ型シリンダーのピンに係脱することにより、前記テレスコープ型シリンダーに対して着脱可能になっていることを特徴とする請求項３に記載の椅子付きテレスコープ型伸縮装置。
【請求項５】
前記椅子部材と前記横腕部との間には、前記椅子部材を前記横腕部に対してスライド可能とするスライダー板が設けられており、前記椅子部材は枢支ピンにより前記スライダー板に回動可能に取り付けられていることを特徴とする請求項１に記載の椅子付きテレスコープ型伸縮装置。
【発明の詳細な説明】
【技術分野】
【０００１】
本発明は、身体の不自由な使用者を椅子部材に載せたまま浴槽に対して出入りさせることができ、介護用入浴補助具として有用な椅子付きテレスコープ型伸縮装置に関する。
【背景技術】
【０００２】
テレスコープ型伸縮装置では、複数の筒を重ね合わせて嵌合して全体が伸縮自在に構成された多段伸縮エヤーシリンダーが代表例として登場している（例えば、特許文献１参照）。この多段伸縮エヤーシリンダーでは、ゴムベローズにエアーを供給した時、ゴムベローズの膨張変位により複数の筒が押し上げられて高い上昇位置に到達するようにしている。この場合、筒の伸張時の高さが収縮時の高さに比して４倍にもなる記録を達成して昇降効率の優れたエヤーシリンダーを実現させている。
【特許文献１】特開２０００−１７０７１２号公報
【発明の開示】
【発明が解決しようとする課題】
【０００３】
ところが、特許文献１の多段伸縮エヤーシリンダーにおいて、筒の先端に棹部材を片持状態に取り付けて、身体の不自由な使用者を椅子に載せて吊り上げる機構を設けると、棹部材が筒の先端を中心軸として回るようになる。このため、棒状の棹部材で使用者を椅子と一緒に懸垂する構造なり、使用者の移動が不安定となり使用者にとって使い勝手が悪くなるとともに、吊り上げる機構が大がかりになり、省スペース化を妨げ、コスト的にも嵩む虞がある。
【０００４】
本発明は上記の事情を考慮してなされたもので、その目的は使用者が安定した状態で迅速に浴槽に運ばれるので、使用者にとって使い勝手がよくなり、また、簡素な構造で済むので、省スペース化が図られて、コスト的にも有利となり、身体の不自由な使用者を椅子部材に載せながら浴槽に出入りさせる介護用入浴補助具として優れた椅子付きテレスコープ型伸縮装置を提供することにある。
【課題を解決するための手段】
【０００５】
（請求項１について）
テレスコープ型シリンダーは、浴槽の内底部に着脱可能に設置されて、互いに伸縮自在に重ね合わされた複数の剛体筒を有する。横腕部は、テレスコープ型シリンダーから横方向に延出するように取り付けられている。椅子部材は、横腕部に同一平面内で回動可能となるように設けられるとともに、浴槽の外側壁部に到る腰掛け位置とテレスコープ型シリンダーの近傍に到る入浴位置との間で、スライド部材によりスライド可能に設けられている。スライド部材は、スライダー板と横腕部との間に、転動ボールを介して互いにスライド伸縮可能に重ね合わせた複数の細長板状のスライダーレールからなる。使用時には、腰掛け位置で使用者を載せた椅子部材を浴槽内へ回動させて、入浴位置にスライドさせるようにしている。
【０００６】
上記の構成では、棹部材を用いるものと異なり、椅子部材を腰掛け位置と入浴位置との間でスライド可能に設けているので、使用者を安定させた状態で迅速に浴槽に運ぶことができる。このため、使用者にとっては使い勝手がよくなり、介護者にとっては介護負担が軽くなる。
【０００７】
椅子部材を横腕部にスライド可能に設けるといった簡素な構造で済むので、省スペース化が図られて、コスト的にも有利となり、身体の不自由な使用者を椅子部材に載せながら浴槽に出入りさせる介護用入浴補助具として普及促進が図られる。
なかでも、スライド部材は、伸縮可能に重ね合わせた複数の細長板状のスライダーレールからなるので、椅子部材を浴槽の内外に対してスライドさせる毎に、別体のスライダーパイプを椅子部材に対して着脱しなければならないものと異なり、スライド部材がコンパクトで取り扱い易いものになる。
【０００８】
（請求項２について）
椅子部材は、座部と背凭部とからなり全体が断面略Ｌ字状をなすため、全体の構造が簡素で済み、コスト的に一段と有利になる。
【０００９】
（請求項３について）
横腕部は、椅子部材と一緒にテレスコープ型シリンダーに対して着脱可能に取り付けられている。このため、椅子部材が不要な場合、横腕部を椅子部材と一緒にテレスコープ型シリンダーから外して所定の場所に収納しておくことができる。
【００１０】
（請求項４について）
横腕部は、先端部に形成されたフック部をテレスコープ型シリンダーのピンに係脱することにより、テレスコープ型シリンダーに対して着脱可能になっている。
テレスコープ型シリンダーに対する横腕部の着脱は、フック部とピンとを設ける簡素な構造で済み、一層の省スペース化および低コスト化に寄与する。
【００１１】
（請求項５について）
椅子部材と横腕部との間には、椅子部材を横腕部に対してスライド可能とするスライダー板が設けられており、椅子部材は枢支ピンによりスライダー板に回動可能に取り付けられている。
椅子部材を回動可能に設けるには、椅子部材を枢支ピンでスライダー板に取り付ける簡素な構造で済み、省スペース化および低コスト化に資することができる。
【発明を実施するための最良の形態】
【００１２】
本発明の椅子付きテレスコープ型伸縮装置では、椅子部材を腰掛け位置と入浴位置との間でスライド可能に設けているので、使用者を安定させた状態で迅速に浴槽に運ぶことができる。このため、使用者にとっては使い勝手がよくなり、介護者にとっては介護負担が軽くなる。また、椅子部材を横腕部にスライド可能に設けるといった簡素な構造で済むので、省スペース化が図られて、コスト的にも有利となり、身体の不自由な使用者を椅子部材に載せながら浴槽に出入りさせる介護用入浴補助具として普及促進が図られる。
【実施例１】
【００１３】
図１ないし図７に基づいて本発明の実施例１を説明する。
本発明に係るテレスコープ型伸縮装置１は、図１に示すように、浴槽２の内底部に着脱可能に設置されたもので、台座３上に互いに伸縮自在に重ね合わされた複数の剛体筒（図示せず）を有するテレスコープ型シリンダー４を備える。台座３は、浴槽２の内底部に沿って延出する支持脚部３ａを有するとともに、浴槽２の上方に突き出る縦桁部５を有している。
【００１４】
テレスコープ型シリンダー４の上端部に被冠されたキャップ部６と縦桁部５との間には、ローラ７が設けられており、テレスコープ型シリンダー４の昇降変位に伴い、キャップ部６を縦桁部５に沿って上下に移動させる。テレスコープ型シリンダー４は、蛇口から延出された三方向弁（いずれも図示せず）の操作により、作動流体としての水道水の給排を受けて、剛体筒を上下方向に伸縮させて昇降させるものである。
【００１５】
テレスコープ型シリンダー４には、横方向に延出する二本の横腕部８が設けられ、その先端部が浴槽２における外側壁部２ａの先端面に到っている。横腕部８は、テレスコープ型シリンダー４に対して僅かに下降傾斜していて、キャップ部６の両側に設けたピン９（片側のみ図示）に着脱可能に引っ掛けるフック部８ａを有している。
【００１６】
二本の横腕部８には、図２の（ａ）に示すように、断面略コ字状のスライダー板１０が被さるように架け渡されている。横腕部８とスライダー板１０の外側辺部１０ａとの間には、三本の長板状のスライダーレール１１、１２、１３がスライド部材として転動ボール１３ａを介して互いにスライド伸縮可能に重ね合わされている。
【００１７】
そして、図２の（ｂ）に示すように、スライダーレール１１、１２、１３がいっぱいに伸長し切ると、スライダー板１０を後述するように浴槽２の外側壁部２ａである腰掛け位置に移動させるようになっている。
なお、浴槽２における外側壁部２ａの先端面には、腰掛け位置に移動するスライダー板１０の外側辺部１０ａを摺動させる断面略横コ字状の保護用パッド１７を載置している。  
【００１８】
スライダー板１０の上には、例えばプラスチック材により背凭部１４ａと座部１４ｂとから断面略Ｌ字状に一体形成された椅子部材１４が、スライダー板１０と略同一平面上で左右方向に回動可能に設けられている。この場合、枢支ピン１５を用いて、椅子部材１４の座部１４ｂをスライダー板１０により取り付けることにより、椅子部材１４が枢支ピン１５を中心に回動変位するようになっている。
【００１９】
浴槽２の使用時、図３および図４の（ａ）に示すように、スライダー板１０のスライダーレール１１、１２、１３｛図２の（ｂ）参照｝が伸長し切って、椅子部材１４がスライダー板１０と一緒に浴槽２の外側壁部２ａに到る腰掛け位置で、身体の不自由な使用者Ｕを椅子部材１４に載せる。
この状態で、図３および図４の（ａ）に矢印Ａで示すように、使用者Ｕを椅子部材１４と一緒に浴槽２内にスライドさせながら、矢印Ｂで示すように、椅子部材１４を浴槽２内に向けて略９０度だけ左方向に回動させる。
【００２０】
さらに、使用者Ｕは、椅子部材１４と一緒に図４の（ｂ）および図５に示す中間位置を通過しながら、図６および図７の（ａ）で示すように、テレスコープ型シリンダー４の近傍である入浴位置に到る。使用者Ｕが椅子部材１４と一緒に左方向に回動する中間位置（図５参照）では、使用者Ｕの脚部Ｕａを介護者（図示せず）が持ち上げて浴槽２内に導くように手助けする。
【００２１】
入浴位置では、蛇口からの三方向弁を操作することにより、テレスコープ型シリンダー４の剛体筒から排水を促すので、図７の（ａ）に矢印Ｃで示すように、キャップ部６が使用者を載せた椅子部材１４と一緒に降下し、同図の（ｂ）に示すように浴槽２の湯船に漬ける。この際、三方向弁を操作するタイミングによりキャップ部６が昇降し、椅子部材１４に載せた使用者Ｕを所望の高さ位置で停止させることができる。
【００２２】
キャップ部６の昇降変位により、使用者Ｕを載せた椅子部材１４の高さ位置を所望に調整することができるので、使用者Ｕが脚部Ｕａを自由に曲げたり伸ばしたりして入浴効果を高めることができる（図６参照）。使用者Ｕを浴槽２から外部に出すには、上記とは逆の点順を辿ればよい。
なお、図４および図７では、使用者Ｕを図示していないが、図５および図６のように使用者Ｕが椅子部材１４に着座しているものとして説明した。
【００２３】
このように、椅子付きテレスコープ型伸縮装置１では、棹部材を用いるものと異なり、椅子部材１４を腰掛け位置と入浴位置との間でスライド可能に設けているので、使用者Ｕを安定させた状態で迅速に浴槽２に運ぶことができる。このため、使用者Ｕにとっては使い勝手がよくなり、介護者にとっては介護負担が軽くなる。
【００２４】
また、椅子部材１４を横腕部８にスライド可能に設けるといった簡素な構造で済むので、省スペース化が図られて、コスト的にも有利となり、身体の不自由な使用者Ｕを椅子部材１４に載せながら浴槽２に出入りさせる介護用入浴補助具として普及促進が図られる優れたものとなる。
【００２５】
とりわけ、椅子部材１４のスライド変位は、伸縮可能に重ね合わせた複数の細長板状のスライダーレール１１〜１３により行われるので、椅子部材１４を浴槽２の内外に対してスライドさせる毎に、別体のスライダーパイプを椅子部材に対して着脱しなければならないものと異なり、スライダーレール１１〜１３がコンパクトで取り扱い易いものになる。  
【００２６】
横腕部８は、フック部８ａを介してテレスコープ型シリンダー４に着脱可能に設けられているため、不要な時には、テレスコープ型シリンダー４から取り外し、椅子部材１４と一緒に浴槽２の外部に保管しておけば、健常者が浴槽２を使用する際の邪魔にならない。  横腕部８は、テレスコープ型シリンダー４に対して僅かに下降傾斜しているので、椅子部材１４をスライダー板１０と一緒に横腕部８に沿って腰掛け位置から入浴位置にスライドさせ易くなり、使用者Ｕを入浴位置に移動させる負担が軽くなる。
【００２７】
（ａ）なお、上記の実施例１で、浴槽２の外側壁部２ａに設けた保護用パッド１７は、金属板、木材、プラスチックあるいは布地でもよく、要はスライダー板１０が外側壁部２ａの先端面を直接擦らないように設定するものであればよい。
（ｂ）椅子部材１４の背凭部１４ａは、ヒンジ部により座部１４ｂに対して起立位置と折曲げ位置との間で回動可能に設定され、浴槽２の不使用時には背凭部１４ａを折曲げ位置に畳んでおいてもよい。
【００２８】
（ｃ）背凭部１４ａの裏面側には、介護人が椅子部材１４を回動させる際に把持できる把手部を設けてもよい。
（ｄ）テレスコープ型シリンダー４のキャップ部６と縦桁部５との間にローラ７を設けたが、ローラ７に代わって、チェーンとスプロケットによる昇降部を取り付けるようにしてもよい。
【００２９】
（ｅ）椅子部材１４の枢支ピン１５に代わって、ボールベアリングを用いて椅子部材１４とスライダー板１０との間に旋回部を設置してもよい。
（ｆ）台座３には、戸車（キャスター）を付けて運搬時にテレスコープ型伸縮装置１を運び易いようにしてもよい。
（ｇ）スライダーレール１１〜１３の個数は、三個に限らず使用者Ｕの体格、浴室や浴槽２の広さによって所望に設定できるものである。
【産業上の利用可能性】
【００３０】
本発明の椅子付きテレスコープ型伸縮装置では、椅子部材を腰掛け位置と入浴位置との間でスライド可能に設けているので、使用者を安定させた状態で迅速に浴槽に移動させることができる。このため、使用者にとっては使い勝手がよくなり、介護者にとっては介護負担が軽くなる。椅子部材を横腕部にスライド可能に設けるといった簡素な構造で済むので、省スペース化が図られて、コスト的にも有利となり、身体の不自由な使用者を椅子部材に載せながら浴槽に出入りさせる介護用入浴補助具として普及促進が図られる。入浴時の介護負担を軽減できる利便性を求める需要者の増加に伴い、機械加工部品などの流通を介して機械産業界へ広く適用することができる。
【図面の簡単な説明】
【００３１】
【図１】浴槽に配置したテレスコープ型伸縮装置を示す斜視図である（実施例１）。
【図２】（ａ）は、スライダー板と横腕部との間に設けたスライダーレールを示す正面図、（ｂ）は、スライダーが伸長して腰掛け位置に到るスライダー板および椅子部材を示す側面図である（実施例１）。
【図３】浴槽に配置したテレスコープ型伸縮装置を示す斜視図である（実施例１）。
【図４】（ａ）、（ｂ）は、作用説明のために浴槽に配置したテレスコープ型伸縮装置を示す縦断面図である（実施例１）。
【図５】浴槽に配置したテレスコープ型伸縮装置を示す斜視図である（実施例１）。
【図６】浴槽に配置したテレスコープ型伸縮装置を示す斜視図である（実施例１）。
【図７】（ａ）、（ｂ）は、作用説明のために浴槽に配置したテレスコープ型伸縮装置を示す縦断面図である（実施例１）。
【符号の説明】
【００３２】
１    テレスコープ型伸縮装置
２    浴槽
２ａ  外側壁部
４    テレスコープ型シリンダー
８    横腕部
８ａ  フック部
９    ピン
１０  スライダー板
１１〜１３  スライダーレール（スライド部材）
１３ａ  転動ボール
１４  椅子部材
１４ａ  背凭部
１４ｂ  座部
１５    枢支ピン
Ｕ      使用者
Ｕａ    脚部
【図１】
2006326227.tif 000003
【図２】
2006326227.tif 000004
【図３】
2006326227.tif 000005
【図４】
2006326227.tif 000006
【図５】
2006326227.tif 000007
【図６】
2006326227.tif 000008
【図７】
2006326227.tif 000009